(57)【特許請求の範囲】
【請求項１】
増減する計測気圧に応じて、直線方向に収縮、又は伸張するよう配設する気圧センサ（２）を含む高度計測装置（１）であり、前記気圧センサ（２）が変形する動きを、伝達システム（６）を介して、表示針（１０）の枢動を駆動する作動システム（８）の、前記気圧センサ（２）が変形する直線方向に直交する平面における、枢動運動に変換し、前記表示針（１０）は、円形目盛り（１２）上で移動し、前記気圧センサ（２）を、前記高度計測装置の他の部品に対して、前記気圧センサが変形する直線方向に沿って、一方向に、又は反対方向に移動可能に配設する高度計測装置（１）であって、前記気圧センサ（２）を、カバー（７８）と共にケース（８０）を形成する支持体（６８）に固定する座（６６）に取付け、前記支持体（６８）には、前記カバー（７８）に設けられた第２の手段と協働する第１の手段が設けられ、前記高度測定装置（１）の他の構成要素に対する前記気圧センサ（２）の前記移動は、前記第１の手段と前記第２の手段との協働によって行われることを特徴とする、高度計測装置（１）。
【請求項２】
前記支持体（６８）には、該支持体の外周に、前記カバー（７８）の内周に設けた第２ねじ山（７４）と協働する第１ねじ山（７２）を備えることを特徴とする、請求項１に記載の高度計測装置。
【請求項３】
前記気圧センサ（２）を、アネロイド式のものとし、部分真空下で、互いに組付ける上板（４ａ）及び下板（４ｂ）の２枚から形成することを特徴とする、請求項１又は２に記載の高度計測装置。
【請求項４】
前記伝達システム（６）は、アーム（２４）の形をした感知要素（２２）を含み、前記アーム（２４）の自由端部を介して、前記感知要素（２２）は、前記気圧センサ（２）の前記上板（４ａ）に当接することを特徴とする、請求項３に記載の高度計測装置。
【請求項５】
前記感知要素（２２）の前記アーム（２４）は、該アーム（２４）の自由端部に、キャスタ（２６）を備え、前記キャスタ（２６）を介して、前記感知要素（２２）を、前記気圧センサ（２）の前記上板（４ａ）と接触状態にすることを特徴とする、請求項４に記載の高度計測装置。
【請求項６】
前記キャスタ（２６）が当接するワッシャ（２８）を、前記気圧センサ（２）の前記上板（４ａ）に固定することを特徴とする、請求項５に記載の高度計測装置。
【請求項７】
別の端部で、感知要素（２２）を、前記気圧センサ（２）が変形する直線方向に直交する方向に延在する伝達軸（３０）に固着することを特徴とする、請求項４乃至６の何れか一項に記載の高度計測装置。
【請求項８】
前記伝達軸（３０）を、前記感知要素（２２）によって前記気圧センサ（２）に伝達する前記気圧センサ（２）が変形する動きの影響を受けて回転するように配設すること、及び前記伝達軸（３０）を、該伝達軸の長手方向軸に沿って移動するように取付けることを特徴とする、請求項７に記載の高度計測装置。
【請求項９】
前記伝達軸（３０）に固着する伝達ピン（３８）は、前記気圧センサ（２）が変形する動きを、作動システム（８）に伝えることを特徴とする、請求項７又は８に記載の高度計測装置。
【請求項１０】
前記作動システム（８）は、ラック（４０）を含み、該ラックに、前記伝達ピン（３８）が、接点の直線部分（４２）で当接することを特徴とする、請求項９に記載の高度計測装置。
【請求項１１】
前記ラック（４０）を、前記気圧センサ（２）が変形する方向に直交する平面において枢動するように取付け、前記ラック（４０）は、前記表示針（１０）を取付ける管（５０）と一体化したカナ（４８）と噛み合う円弧に、歯付きセクタ（４６）を備えることを特徴とする、請求項１０に記載の高度計測装置。
【請求項１２】
前記高度計測装置（１）は、前記感知要素（２２）を、前記気圧センサ（２）と常に接触状態に維持するよう配設する弾性手段を含むことを特徴とする、請求項１１に記載の高度計測装置。
【請求項１３】
前記弾性手段は、前記ラック（４０）に弾性復帰力を印加するコイルバネ（５２）を含むことを特徴とする、請求項１２に記載の高度計測装置。
【請求項１４】
前記弾性手段は、前記表示針（１０）を取付ける前記管（５０）に係着する内側湾曲部（５８）を有する渦巻状バネ（５６）を含むことを特徴とする、請求項１２に記載の高度計測装置。
【請求項１５】
ボールベアリング（６４）を、前記渦巻状バネ（５６）と、前記表示針（１０）を取付ける前記管（５０）との間に配置することを特徴とする、請求項１４に記載の高度計測装置。
【請求項１６】
請求項１乃至１５の何れか一項に記載の高度計測装置を含む携帯物。
【請求項１７】
前記携帯物は、腕時計（１８）であることを特徴とする、請求項１６に記載の携帯物。
【発明の詳細な説明】
【技術分野】
【０００１】
本発明は、高度計測装置に関する。より具体的には、本発明は、アネロイド圧力センサを含む高度計測装置に関する。また、本発明は、本発明による高度計測装置を含む、携帯物、例えば、腕時計にも関する。
【背景技術】
【０００２】
感知要素がアネロイド圧力計であるスカイダイビング用高度計を含む、多くの高度計測装置が知られている。かかる高度計は、時圏を、高度０ｍから４０００ｍまで少しずつ変化させる文字盤を、通常含む。数個の市販されている高度計について本出願人が行った分析では、ヒステリシスが示された。この直線性に関する誤差は、かかる高度計のメカニズムにおける摩擦力の作用を算出することで、証明された。従って、高度が低下するに従い絶対高度計測誤差が低減するため、メカニズムは、高度を下げて（ｄｅｓｃｅｎｔ）設定されていた。これらの高度計は、計測誤差が、高度３０００ｍ超では増大することが観測されていたため、高度０〜３０００ｍに設定された。その結果、高度０〜３０００ｍでの最大誤差は、高度計の１つで２１ｍ、別の高度計では３４ｍに達した。従って、分析したスカイダイビング用高度計では、約１％の計測誤りに繋がる直線性誤差があるのが分かった。また、アネロイドカプセルに関する特性の分散及びかかる高度計を設計した製造公差を考慮すると、事前の較正が必要である。上記種類の高度計の場合、この較正はかなり面倒である。較正は、特にこの作業のために訓練された者が手動で行い、海面気圧に等しい圧力で、次に、例えば、高度４０００ｍでの圧力に等しい圧力で、その後再び高度０ｍでの圧力と等しい圧力で等、連続的に高度計が表示する値を読むことから成る。その都度、表示された高度が、環境気圧の値と対応するように、メカニズムを調整する。こうした連続を繰返し行うことで、徐々に高度計測誤差を低減する。
【発明の概要】
【発明が解決しようとする課題】
【０００３】
本発明の目的は、出来るだけヒステリシスの低い精確な高度計測装置を提供することによって、他の課題に加えて、上記課題を解消することである。
【課題を解決するための手段】
【０００４】
そのために、本発明は、増減する計測気圧に応じて、直線方向に収縮、又は伸張するよう配設する気圧センサを含む高度計測装置であり、気圧センサが変形する動きを、伝達システムを介して、表示針の枢動を駆動する作動システムの、気圧センサが変形する直線方向に直交する平面における、枢動運動に変換し、該表示針は、円形目盛り上で移動し、気圧センサを、高度計測装置の他の部品に対して、気圧センサが変形する直線方向に沿って、一方向に、又は反対方向に移動可能に配設する高度計測装置であって、気圧センサを、カバーと共にケースを形成する支持体に固定する座に、取付けることを特徴とする、高度計測装置に関する。
【０００５】
これらの特徴の結果として、本発明は、極めて高い計測精度を得られる高度計測装置を提供する。この顕著な結果は、本発明による高度計測装置の計測精度が、気圧センサにおける如何なる寸法のバラツキによっても影響を受けないことから、得られる。実際に、気圧センサの製造公差を、高度計測装置の他の部品に対して気圧センサの位置を精確に調整可能にすることによって、完全に相殺できる。
【０００６】
こうした特徴の結果、本発明は、較正操作を大幅に簡素化した、所望であれば、自動化できる高度計測装置を提供する。この顕著な結果は、２設定操作、一方を海面に等しい気圧で、他方を、例えば、高度４０００ｍに対応する圧力で実行する操作で、本発明による高度計測装置を十分に較正できることから、得られる。更に、この設定操作は、単に、２選択高度に対して、伝達ピンと、伝達軸と平行なラックとの間にある接点の線を設置し、次に、高度計測装置の他の部品に対する気圧センサの位置を調整することから成るが、この位置は、未経験のオペレータでも極めて簡単に目視によって、又はカメラによって確認できる。精確に較正を実行できることで、ヒステリシスが低い又は全くない高度計測装置を得られ、それにより表示針が直線的に移動可能になり、その結果、必要に応じて、文字盤を１回転以上させて、より高い高度を精確に計測できる。
【０００７】
本発明の補足的な特徴によると、支持体は、該支持体の外周に、カバーの内周に設けた第２ねじ山と協働する第１ねじ山を備える。
【０００８】
本発明の別の特徴によると、気圧センサは、アネロイド圧力計である。
【０００９】
本発明の更に別の特徴によると、作動システムは、感知要素を含み、該感知要素は、気圧センサに当接し、気圧センサが変形する動きの影響を受けて回転するよう配設した伝達軸に固着される。
【００１０】
本発明の更に別の特徴によると、感知要素を保持する伝達軸は、気圧センサが変形する直線方向に直交する方向に延在する。
【００１１】
本発明の更に別の特徴によると、伝達軸に固着した伝達ピンは、気圧センサが変形する動きを、作動システムへ伝える。
【００１２】
本発明の更に別の特徴によると、作動システムは、ラックを含み、該ラックは、表示針を取付ける真と一体化したカナと噛み合う円弧に、歯付きセクタを備える。
【００１３】
本発明の更に別の特徴によると、高度計測装置は、感知要素を気圧センサに当接した状態を保つように配設する弾性手段を含む。
【００１４】
第１変形例によると、弾性手段は、弾性復帰力をラックに印加するコイルバネを含む。
【００１５】
第２変形例によると、弾性手段は、渦巻状バネを含み、該バネの内側湾曲部を、表示針を取付ける真に係着する。好適には、ボールベアリングを、渦巻状バネと、表示針を取付ける真との間に配置する。
【００１６】
また、本発明は、本発明による高度計測装置を収容する、腕時計等の携帯物に関する。
【００１７】
本発明の他の特徴及び利点は、本発明による高度計測装置の実施形態に関する以下の詳細な説明から、より明確になるであろう。この実施例は、非限定的な実例として、添付図を参照して、提示だけするものである。  
【図面の簡単な説明】
【００１８】
【図１】本発明による高度計測装置を収容する腕時計ケースの斜視図である。
【図２】本発明による高度計測装置の斜視図である。
【図３】カバー及び支持体から形成し、本発明による高度計測装置を収容するケースの分解斜視図である。
【図４】高度計測装置を収容する腕時計ケースの１２時〜６時軸に沿った断面図である。
【図５】感知要素を気圧センサと常に接触状態に保つように、コイルバネによって押圧した本発明による高度計測装置の斜視図である。
【図６】感知要素を気圧センサと常に接触状態に保つように、渦巻き状バネによって押圧した本発明による高度計測装置の斜視図である。
【図７】気圧センサを収容した図３のケースに関する分解斜視図である。
【図８】本発明による高度計測装置を較正するチャンバの分解斜視図である。
【図９】本発明による高度計測装置を較正するために置くチャンバの斜視図である。
【図１０】気圧センサの高さを調整する駆動システムの分解斜視図である。
【図１１】密閉チャンバ内で、本発明の高度計測装置を固定するシステムの部分斜視図である。
【発明を実施するための形態】
【００１９】
本発明は、出来る限り精確で、高直線性を有する高度計測装置を提供するという一般的な創意に端を発する。この目的のために、本発明は、様々な構成要素の製造公差、特に気圧センサの製造公差を相殺でき、高度計測に関する高直線性を保証する高度計測装置を提供する。しかしながら、計測に関する直線性及び精度を確保するために、本発明の高度計測装置の操作中に発生する摩擦力を最小限に抑えることも目指した。最後に、本発明による高度計測装置の較正では、一つは、海面に対応する環境気圧で、もう一つは、選択した高度に対応する値より低い環境気圧で行う２計測のみが必要で、それにより、これらの較正操作を大幅に簡素化できる、又は必要に応じて較正操作を自動化することもできる。
【００２０】
一般的な参照番号１で全体として示した、本発明による高度計測装置は、計測する環境気圧が変化する影響を受けて、直線方向に幾何学的に変形するよう構成した気圧センサ２を含む。
【００２１】
図２で特に明示するように、気圧センサ２を、好適には、アネロイド圧力計とする。この気圧センサは、平坦で、丸い、通常は金属製筐体であり、溶接によって互いに組付ける、２枚の薄状波板、上板４ａ及び下板４ｂから形成する。このケースは、部分真空下で密封しているため、不浸透性である。気圧センサ２は、気圧変化に応じて収縮、又は伸張するが、収縮、又は伸張により２枚の上下板４ａ、４ｂを互いに接近又は離隔させる。気圧センサ２が変形する動きを、伝達システム６を介して、表示針１０の枢動を駆動する作動システム８の、気圧センサ２が変形する直線方向に直交する平面で、枢動運動に変換する。図１から分かるように、表示針１０は、フランジ１４に設けた、例えば一目盛りが５０ｍで、０ｍから４０００ｍの間で少しずつ変化する円形目盛り１２に沿って移動する。フランジ１４を、腕時計１８のケース１６に収容し、回転ベゼル２０を用いてユーザが枢動できる。注目すべき点は、図示した実施例では、気圧センサ２を、垂直な直線方向に変形させる点である。
【００２２】
伝達システム６は、アーム２４の形をした感知要素２２を含み、該アーム２４には、該アームの自由端にキャスタ２６を設け、該キャスタを介して感知要素２２を気圧センサ２の上板４ａと接触させた状態で設けるのが好ましいが、それに限らない。キャスタ２６が当接するワッシャ２８を、気圧センサ２の上板４ａに固定する。ワッシャ２８及びキャスタ２６の目的は、感知要素２２と気圧センサ２との間の摩擦力を出来る限り抑制し、その結果高度計測装置１の精度を向上させることである。
【００２３】
感知要素２２を、気圧センサ２が変形する直線方向に直交する方向に延在する伝達軸３０に固着する。図示した実施例では、伝達軸３０は、従って水平方向に延在する。
【００２４】
端部に穴石３２を設けた伝達軸３０を、感知要素２２が該伝達軸３０に伝達する気圧センサ２が変形する動きの影響を受けて回転するように配設する。また、注目すべきは、伝達軸３０を、調整ねじ３４と弾性片３６との間に遊びがない状態で軸方向に移動するように取付ける（図３）点である。調整ねじ３４への作用を通して、結果的に、伝達軸３０の長手方向位置を調整可能になる。
【００２５】
本発明の更に別の特徴によると、伝達軸３０に固着した伝達ピン３８は、気圧センサ２が変形する動きを作動システム８に伝える。
【００２６】
より具体的には、作動システム８は、ラック４０を含み、該ラックに、伝達ピン３８が、接点の直線部分４２で当接する。以下で分かるように、この直線部分４２は、高度計測装置１の較正中、基準点として機能する。実際に、高度計測装置１は、直線接点部分４２が、伝達軸３０と平行に延在する場合に、海抜高度に正確に設定できる。伝達軸３０の軸方向位置を調整して、これを達成する。
【００２７】
ラック４０を、垂直な枢軸４４周りに、水平面で枢動するよう取付ける。ラック４０は、アーチ形の歯付きセクタ４６を備え、該セクタは、表示針１０を取付けた管５０と一体化したカナ４８と噛み合う。管５０を、時計ムーブメントの時車に枢着できる。しかしながら、その場合には、計測を歪めることがある摩擦力が観測される可能性がある。そのため、筒カナは、該筒カナと管５０とが接触せずに、管５０内を通るのが好ましい。
【００２８】
本発明の更に別の特徴によると、高度計測装置１は、感知要素２２を気圧センサ２と常に接触状態に保つように配設する弾性手段を含む。
【００２９】
第１変形例（図５）によると、弾性手段は、螺旋バネ又はコイルバネ５２を含み、該バネの一端部を、スタッド５４に固定し、他端部をラック４０に固定して、該ラックに弾性復帰力を印加する。この弾性復帰力を、伝達ピン３８及び伝達軸３０を介して、感知要素２２に伝達する。
【００３０】
第２変形例（図６）によると、弾性手段は、表示針１０を取付けた管５０に固定する内側湾曲部５８、及び腕時計１８のケース１６と一体化したスタッド６２に固定する外側湾曲部６０を有する渦巻状バネ５６を含む。好適だが、必須ではなく、表示針１０を取付ける管５０を、ボールベアリング６４の内側に固定し、次に、該ベアリングを、腕時計１８の文字盤６５に固定する。
【００３１】
これらの弾性手段、即ち、コイルバネ５２又は渦巻状バネ５６は、感知要素２２を気圧センサ２と接触状態に維持でき、ラック４０の歯付きセクタ４６の歯とカナ４８の歯との間の遊びを補償できる。  
【００３２】
本発明の更に別の特徴（図７）によると、気圧センサ２を、座６６に取付け、該座６６を、例えば、気圧センサ２と支持体６８との間の遊びを取るために、フランジ７０を挿入した状態で、支持体６８に押圧し、接着する（図３及び図４）。この支持体６８は、該支持体の外周に、第１ねじ山７２を備え、該第１ねじ山は、支持体６８と共にケーシング８０を形成するカバー７８の内周に設けた第２ねじ山７４と協働する。このようにして、支持体６８を、螺進退でき、それにより気圧センサ２の高さを、高度計測装置の他の部品に対して精確に調整可能になり、その結果、製造公差による気圧センサ２の寸法バラツキを補償可能になる。
【００３３】
高度計測装置１を、較正のために、密閉装置８２、例えば、密閉用ガスケット８８を挿入した状態でガラス８６で閉じる密閉チャンバ８４等の内に、置く（図８及び図９）。密閉チャンバ８４は、必要に応じて、チャンバ８４内の圧力を調整できる空気取入口９０を含む。
【００３４】
また、密閉チャンバ８４は、高度計測装置１を設定するための第１ボタン９２及び第２ボタン９４も含む。これらのボタン９２及び９４を、把持し易くするためにローレット加工してもよい。第１ボタン９２を、穴石９８ａに枢着したドライバブレード９６によって密閉チャンバ８４内部へと延伸し、該ドライバブレード９６を用いて、調整ねじ３４を作動して、伝達軸３０の軸位置を調整できる。密閉用ガスケット１００ａを、第１ボタン９２の通過部分を密閉するために、ドライバブレード９６に配置する。第２ボタン９４は、軸１０２を含み、該軸１０２を、穴石９８ｂに枢着し、第２ボタン９４の通過部分を密閉するために密閉用ガスケット１００ｂに係合させる。軸１０２の自由端に、軸１０２は、カナ１０４を保持し、該カナは、水平方向に延在する歯車１０６と協働する（図１０）。この歯車１０６のプレートは、２本のピン１０８を保持し、該ピンを、互いに径方向に対向して配置し、支持体６８に設けた２つの対応する穴１１０に受容する。一方向又は他方向に第２ボタン９４を回すことによって、支持体６８を締め付けたり緩めたりでき、その結果気圧センサ２を上下に移動できる。
【００３５】
より具体的には、図１０に示すように、高度計測装置１を、密閉チャンバ８４の底部内に突出する２本のピン１１４と係合する２つの穴１１２を備える取付け具７６によって、密閉チャンバ８４内に受容する。また、２本のねじ１１８で留める保持ブレード１１６（図１１）も設ける。保持ブレード１１６に穴１２０を開け、該穴にドライバブレード９６を通して、平坦な肩部１２２に当接させるが、該肩部を、カバー７８に配設し、保持ブレード１１６が当接する平坦な直線的壁１２４によって限定する。よって、カバー７８を、密閉チャンバ８４内部に軸方向及び枢動可能に係止する、即ち支持体６８を、必要に応じて螺進退でき、従って気圧センサ２を、高度計測装置１を較正する操作中、他の部品に対して上下に移動できる。チャンバ８４を密閉するために、ガラス８６には、チャンバ８４のフレーム１３０に固定した２個のボルト１２８と協働する２個のフック１２６を備える。
【００３６】
本発明による高度計測装置１の較正を、以下の方法で実行する。
【００３７】
まず、本発明による高度計測装置１を、チャンバ８４に挿入する。高度計測装置１を、ねじ１１８を締めて係止する保持ブレード１１６を用いて、密閉チャンバ８４内部に固定する。その前に、確実に、ピン１０８を、支持体６８に設けた対応する穴１１０に正確に挿入する。これを行うには、ピン１０８が穴１１０を貫通するまで、歯車１０６を単に回転するだけで十分である。密閉チャンバ８４を、フック１２６と係合するボルト１２８を用いて、密閉する。確実に、密閉用ガスケット８８を正確に適当な位置にする。
【００３８】
次に、チャンバ７２内部の気圧を、海抜０ｍで見られる平均気圧に相当する、１０１３．２５ｈＰａの値にし、直線接点部分４２の位置を、伝達軸３０に対して観察する。必要であれば、第２ボタン９４を、支持体６８を螺進退して、気圧センサ２を上下に移動させるように、一方向又は他方向に回転させる。気圧センサ２の並進運動を、感知要素２２及び伝達ピン３８を介してラック４０に伝える。直線接点部分４２が伝達軸３０と平行に延在すると、高度計測装置１は、海抜高度で正確に設定される。
【００３９】
最後に、チャンバ８４内の気圧を、例えば４０００ｍの高度に相当する値に減圧する。表示針１０が、フランジ１４に固着した円形目盛りの目盛り４０００を指さない場合、伝達軸３０を、第１ボタン９２によって調整ねじ３４を螺進退することによって軸方向に移動させる。
【００４０】
上記の２操作を実行すると、本発明の高度計測装置１の較正が完了する。確認するには、例えば、チャンバ８４内部の気圧を、海面に相当する値に再び上昇させる必要があるだけで、表示針１０が円形目盛りで目盛り０を指すのを観察する。
【００４１】
言うまでもなく、本発明は、説明したところの実施形態に限定されず、当業者は、様々な若干の変形例及び変更例を、付記したクレームで規定した本発明の範囲から逸脱せずに、想定できる。特に、本発明の高度計測装置１を較正する操作については、容易に自動化できることが分かるであろう。実際に、自動化には、伝達軸３０に対する直線接点部分４２の位置を決められ、且つフランジ１４上に印付けした円形目盛り１２に対して表示針１０の位置を決められるカメラを設けることだけが必要となる。カメラには、ローレット加工したボタン９２、９４を作動させる装置が追加される。また、これらの較正操作を、工場で行うこと、及びユーザに渡す際に、本発明の高度計測装置を完全に設定することも理解されるであろう。旅行中に、ユーザが、自分の高度計測装置で示した高度が、自分がいる場所の高度に対応していないことに気付いた場合には、ユーザは、単にフランジを回転させて、自分がいる高度に対応する表示を、表示針１０の反対側に移動させることができる。また、較正操作を、環境温度、通常２３℃で行うことにも注意されたい。高度計測装置１を正確に較正し終えると、支持体６８のねじ山と、カバー７８及び調整ねじ３４のねじ山を、例えば、ワックス又は接着結合を用いて、纏めて締付けして、高度計測装置１が調整不良になるのを防止できる。
【符号の説明】
【００４２】
１          高度計測装置
２          気圧センサ
４ａ        上板
４ｂ        下板
６          伝達システム
８          作動システム
１０        表示針
１２        円形目盛り
１４        フランジ
１６        ケース
１８        腕時計
２０        回転ベゼル
２２        感知要素
２４        アーム
２６        キャスタ
２８        ワッシャ
３０        伝達軸
３２、９８ａ、９８ｂ  穴石
３４        調整ねじ
３６        弾性片
３８        伝達ピン
４０        ラック
４２        接点の直線部分
４４        垂直な枢軸
４６        歯付きセクタ
４８、１０４  カナ
５０        管
５２        コイルバネ
５４、６２  スタッド
５６        渦巻状バネ
５８        内側湾曲部
６０        外側湾曲部
６４        ボールベアリング
６５        文字盤
６６        座
６８        支持体
７０        遊び取りフランジ  
７２        第１ねじ山
７４        第２ねじ山
７６        取付け具
７８        カバー
８０        ケーシング
８２        密閉装置
８４        チャンバ
８６        クリスタルガラス
８８、１００ａ、１００ｂ  密閉用ガスケット
９０        空気取入口
９２        第１ボタン
９４        第２ボタン
９６        ドライバブレード
１０２      軸
１０６      歯車
１０８、１１４  ピン
１１０、１１２、１２０  穴
１１６      保持ブレード
１１８      ねじ
１２２      平坦な肩部
１２４      平坦な直線的壁
１２６      フック
１２８      ボルト
１３０      フレーム
【図１】
0006276811.tif 000002
【図２】
0006276811.tif 000003
【図３】
0006276811.tif 000004
【図４】
0006276811.tif 000005
【図５】
0006276811.tif 000006
【図６】
0006276811.tif 000007
【図７】
0006276811.tif 000008
【図８】
0006276811.tif 000009
【図９】
0006276811.tif 000010
【図１０】
0006276811.tif 000011
【図１１】
0006276811.tif 000012